(57)【要約】【課題】  複数書画装置に対する利用者ルールの設定作業を低減。複数書画装置に対する同一利用者の使用権限を統一。【解決手段】  書画処理手段１００／２１０／２８７；利用者情報入力手段９０／ＰＣ；利用者ルールの範囲内で書画処理を許可する使用規制手段２７２；ネットワーク通信手段２８０；各書画処理機能の使用可否を利用者情報宛てに規定する利用者ルールのデータベースを保持するための記憶手段２７１；サーバ動作可否を設定する手段９０，２７０；サーバ動作可設定中に受信した利用者情報に宛てられた利用者ルールをデータベースから読み出して返信するサーバ２７０；および、サーバ動作否設定中には、入力された利用者情報を、サーバ動作可設定中の書画装置に送信し、返信された利用者ルールを、書画処理手段の利用を制限する利用者ルールに設定する制御手段２７０；を備える。  【選択図】  図７
2006185004.tif 000002
【特許請求の範囲】
【請求項１】
書画処理手段；
利用者情報入力手段；
該利用者情報入力手段から入力された利用者情報に宛てられた利用者ルールが規定する前記書画処理手段の使用可処理機能の範囲内で前記書画処理手段の利用を許可する使用規制手段；
ネットワーク通信手段；
複数の書画処理機能の各処理機能の使用可否を各利用者情報宛てに規定する利用者ルールの集積である利用者ルールデータベースを保持するための記憶手段；および、
前記ネットワーク通信手段が受信した利用者情報に宛てられた利用者ルールを前記利用者ルールデータベースから読み出して相手先に送信するサーバ；
を備える書画処理装置。
【請求項２】
書画処理手段；
利用者情報入力手段；
利用者ルールが規定する前記書画処理手段の使用可処理機能の範囲内に前記書画処理手段の利用を制限する使用規制手段；
ネットワーク通信手段；および、
前記利用者情報入力手段から入力された利用者情報を、前記ネットワーク通信手段を介して請求項１に記載の書画処理装置に送信し、これに応答して返信された該利用者情報に宛てられた利用者ルールを、前記書画処理手段の利用を制限する利用者ルールに設定する規制制御手段；
を備える書画処理装置。
【請求項３】
書画処理手段；
利用者情報入力手段；
利用者ルールが規定する前記書画処理手段の使用可処理機能の範囲内で前記書画処理手段の利用を許可する使用規制手段；
ネットワーク通信手段；
複数の書画処理機能の各処理機能の使用可否を各利用者情報宛てに規定する利用者ルールの集積である利用者ルールデータベースを保持するための記憶手段；
サーバ動作可否を設定する手段；
サーバ動作可が設定されているときに、前記ネットワーク通信手段が受信した利用者情報に宛てられた利用者ルールを前記利用者ルールデータベースから読み出して相手先に送信するサーバ；および、
サーバ動作否が設定されているときに、前記利用者情報入力手段から入力された利用者情報を、前記ネットワーク通信手段を介してサーバ動作可が設定された他の書画処理装置に送信し、これに応答して返信された該利用者情報に宛てられた利用者ルールを、前記書画処理手段の利用を制限する利用者ルールに設定する規制制御手段；
を備える書画処理装置。
【請求項４】
前記記憶手段にある利用者ルールを他の書画処理装置にエクスポートするための利用者ルール出力手段；を更に備える請求項１又は３に記載の書画処理装置。
【請求項５】
他の書画処理装置の記憶手段にある利用者ルールを前記記憶手段にインポートするための利用者ルール入力手段；を更に備える請求項１，３又は４に記載の書画処理装置。
【請求項６】
前記サーバ動作可否を設定する手段は、他の書画処理装置がサーバ利用不可のとき、自装置にサーバ動作可を設定する；請求項３に記載の書画処理装置。
【請求項７】
前記サーバ動作可否を設定する手段は、他の書画処理装置がサーバ利用可のとき、自装置にサーバ動作不可を設定する；請求項３又は６に記載の書画処理装置。
【請求項８】
前記サーバ動作可否を設定する手段は、自装置をサーバ動作可に設定するためのユーザ入力手段；を含む、請求項３，６又は７に記載の書画処理装置。
【請求項９】
書画処理手段はプリンタを含む請求項１乃至８のいずれか１つに記載の書画処理装置。
【発明の詳細な説明】
【技術分野】
【０００１】
本発明は、ネットワーク通信機能を持つ書画処理装置に関し、特に利用者ＩＤおよび又はパスワードを含む利用者情報を用いる認証により装置使用を許可ししかも利用者情報個別に各種書画処理機能の使用許可を選択的に割り付けた利用者ルールに従って使用可能機能を制限する書画処理装置に関する。本発明は例えば、ネットワーク通信機能がある原稿スキャナ，プリンタ，複写機，ファクシミリ，複合機能複写機およびパソコンに適用できる。
【背景技術】
【０００２】
【特許文献１】特開２００２−１７８５６７号公報
【特許文献２】特開２００２−２４０３９８号公報
【特許文献３】特開２００２−２０２９４５号公報
【特許文献４】特開２００３−２２９９８６号公報
【特許文献５】特開２００４−    ５４０８号公報。
【０００３】
引用文献１には、個人，グループあるいは部門毎の使用許可を登録しておいて登録があるもののみに使用を制限する認証と、使用があった書画処理条件と使用量および使用者の情報をＮＶＲＡＭに蓄積して、使用管理と消耗品補充あるいはメンテナンスに利用するプリンタコントローラが記載されている。引用文献２は、ネットワーク上の計算機からネットワーク上のプリンタ，複写機，ファクシミリ等の周辺機器を使用する場合に、ネットワーク上のディレクトリサーバからアクセスチケットを入手してアクセスチケットとともに使用ジョブコマンドを周辺機器に送信し、受信した周辺機器はアクセスチケットとジョブコマンドを解読してアクセスチケットで許可されたジョブを実行する周辺機器制御システムを記載している。引用文献３には、ＩＤカードによって、使用許可の認証と認証許可された文書一覧の表示を行い、ユーザは文書一覧のなかのジョブの選択実行が可能なプリンタ使用制御が記載されている。引用文献４には、入力された利用者コードを利用者データベースの利用者コードと照合して画像形成を許可するか否かを決定する画像形成装置が記載されている。引用文献５には、ネットワーク上のクライアントから利用者の使用要求があると、ネットワーク上の認証サーバに利用者情報を送って認証し、認証結果に従って使用の諾否を決定する画像形成装置が記載されている。
【０００４】
従来のネットワーク接続したスキャナ，プリンタ，複写機あるいはファクシミリでは、操作パネルからユーザコードを入力したりＩＤカードを用いることでユーザや部門ごとに利用者制限を行う技術が採用されている（例えば引用文献１，２，４および５）。これによりユーザごとに印刷又はコピーの色の制限やファクス送信，印刷，スキャナーなどの利用制限をかけることや、部門ごとの使用量集計や利用上の上限を設定し過度の使用を防ぐことができた。また、機器利用ユーザをネットワーク上で管理されている書画（ドキュメント）情報あるいは機器機能（使用可機能）と統合することが可能にする技術などがある（例えば引用文献３）。
【発明の開示】
【発明が解決しようとする課題】
【０００５】
利用者制限および利用者個別の使用機能制限をする書画処理装置は、機器毎にユーザ名に対応する利用制限ルール（利用者ルール）を個別に設定する必要があり、ネットワーク上に複数の書画処理装置がある場合は、各機器それぞれにユーザ名／パスワード及び利用者ルールを設定する必要がある。また同一ユーザに対する利用者ルールが各機器同様にしたい場合でも、各々の機器に対して、同一ルールを設定する必要がある。
【０００６】
本発明は、複数の書画処理装置に対する各利用者の利用者ルールの設定作業を低減することを第１の目的とし、複数の書画処理装置に対する同一利用者の使用権限を統一することを第２の目的とする。
【課題を解決するための手段】
【０００７】
（１）書画処理手段(100/210/287)；
利用者情報入力手段(90/PC)；
該利用者情報入力手段から入力された利用者情報に宛てられた利用者ルールが規定する前記書画処理手段の使用可処理機能の範囲内で前記書画処理手段の利用を許可する使用規制手段(272)；
ネットワーク通信手段(280)；
複数の書画処理機能の各処理機能の使用可否を各利用者情報宛てに規定する利用者ルールの集積である利用者ルールデータベースを保持するための記憶手段(271)；および、
前記ネットワーク通信手段が受信した利用者情報に宛てられた利用者ルールを前記利用者ルールデータベースから読み出して相手先に送信するサーバ(270)；
を備える書画処理装置。
【０００８】
なお、理解を容易にするためにカッコ内には、図面に示し後述する実施例の対応要素又は対応事項の記号を、例示として参考までに付記した。以下も同様である。
【発明の効果】
【０００９】
前記使用規制手段(272)をもつ書画装置がネットワーク上に複数存在した場合、前記利用者ルールデータベースを保持するための記憶手段(271)およびサーバ(270)を持つ１つの書画処理装置すなわちサーバ書画処理装置に、一利用者の利用者ルールを設定するだけで、他の書画処理装置すなわちクライアント書画処理装置は、利用者が入力した利用者情報をサーバ書画処理装置に送信して該利用者情報宛ての利用者ルールを取得してクライアント書画処理装置の書画処理機能を、該利用者ルールが規定する範囲内で該利用者に使用させることができる。すなわち、管理者が利用者各人の利用者ルールをサーバ書画処理装置に登録するだけで、他のクライアント書画処理装置に該利用者ルールを設定することなく、利用者各人は、全書画処理装置を該利用者ルールの規定範囲内で使用することができる。管理者は、サーバ書画処理装置に対する各利用者の利用者ルールの登録で、ネットワーク全体の書画処理装置に対する各利用者の使用を管理することができる。
【発明を実施するための最良の形態】
【００１０】
（２）書画処理手段(100/210/287/PCのＣＧ)；
利用者情報入力手段(90/PC)；
利用者ルールが規定する前記書画処理手段の使用可処理機能の範囲内に前記書画処理手段の利用を制限する使用規制手段(272)；
ネットワーク通信手段(280)；および、
前記利用者情報入力手段から入力された利用者情報を、前記ネットワーク通信手段を介して上記（１）に記載の書画処理装置に送信し、これに応答して返信された該利用者情報に宛てられた利用者ルールを、前記書画処理手段の利用を制限する利用者ルールに設定する規制制御手段(270)；
を備える書画処理装置。
【００１１】
この書画処理装置は、上記クライアント書画処理装置として、利用者が入力した利用者情報を上記サーバ書画処理装置に送信して該利用者情報宛ての利用者ルールを取得してクライアント書画処理装置の書画処理機能を、該利用者ルールが規定する範囲内で該利用者に使用させることができる。
【００１２】
（３）書画処理手段(100/210/287)；
利用者情報入力手段(90/PC)；
利用者ルールが規定する前記書画処理手段の使用可処理機能の範囲内で前記書画処理手段の利用を許可する使用規制手段(272)；
ネットワーク通信手段(280)；
複数の書画処理機能の各処理機能の使用可否を各利用者情報宛てに規定する利用者ルールの集積である利用者ルールデータベースを保持するための記憶手段(271)；
サーバ動作可否を設定する手段(90,270)；
サーバ動作可が設定されているときに、前記ネットワーク通信手段が受信した利用者情報に宛てられた利用者ルールを前記利用者ルールデータベースから読み出して相手先に送信するサーバ(270)；および、
サーバ動作否が設定されているときに、前記利用者情報入力手段から入力された利用者情報を、前記ネットワーク通信手段を介してサーバ動作可が設定された他の書画処理装置に送信し、これに応答して返信された該利用者情報に宛てられた利用者ルールを、前記書画処理手段の利用を制限する利用者ルールに設定する規制制御手段(270)；
を備える書画処理装置。
【００１３】
この書画処理装置は、前記サーバ動作可否の設定によって、上記サーバ書画処理装置として使用することができ、また、上記クライアント書画処理装置としても使用することが出来る。
【００１４】
（４）前記記憶手段(271)にある利用者ルールを他の書画処理装置にエクスポートするための利用者ルール出力手段(図７の7,11)；を更に備える上記（１）又は（３）に記載の書画処理装置。
【００１５】
（４ａ）前記利用者ルール出力手段は、可搬情報媒体（ＳＤカード）に利用者ルールを書込む情報書き込み装置(288)；を含む上記（４）に記載の書画処理装置。
【００１６】
（５）他の書画処理装置の記憶手段にある利用者ルールを前記記憶手段(271)にインポートするための利用者ルール入力手段(図７の6,8)；を更に備える上記（１），（３）又は（４）に記載の書画処理装置。
【００１７】
（５ａ）前記利用者ルール入力手段は、可搬情報媒体（ＳＤカード）の利用者ルールを読み込む情報読取り装置(288)；を含む上記（５）に記載の書画処理装置。
【００１８】
上記（４）乃至（５ａ）によれば、サーバ書画処理装置となり得る書画処理装置がネットワーク上に複数存在した場合、利用者ルールを個別にあるいは利用者ルールデータベースの全体を、ＳＤカード等のメディア（可搬情報媒体）に写し他書画処理装置に追加，転写あるいは移植出来るので、各機器書画処理装置への利用者ルールの設定が容易に可能となり、かつ複数の書画処理装置間で同一利用者の利用者ルールの内容が異なるなどの利用者ルール設定の間違いを防止することが可能である。
【００１９】
（６）前記サーバ動作可否を設定する手段(90,270)は、他の書画処理装置がサーバ利用不可のとき、自装置にサーバ動作可を設定する（図8の22-25,図11の83-86,図16の55-58,図18の73-76）；上記（３）に記載の書画処理装置。これによれば、サーバ書画処理装置がネットワーク上で電源断等の理由で使用できなくても自動的に、他の書画処理装置が代替のサーバ書画処理装置となってサーバが確保される。
【００２０】
（７）前記サーバ動作可否を設定する手段(90,270)は、他の書画処理装置がサーバ利用可のとき、自装置にサーバ動作不可を設定する（図8の21-26）；上記（３）又は（６）に記載の書画処理装置。これによれば、ネットワーク上でサーバ書画処理装置がすでに存在していた場合に、２重にサーバ書画処理装置を確率してしまうことなく、利用者ルール取得の混乱を防ぐことが可能である。
【００２１】
（８）前記サーバ動作可否を設定する手段(90,270)は、自装置をサーバ動作可に設定するためのユーザ入力手段(図12)；を含む、上記（３），（６）又は（７）に記載の書画処理装置。これによれば、サーバ書画処理装置として動作し得る書画処理装置が特定されるので、どの書画処理装置がサーバ書画処理装置となるか明確にすることができ、利用者ルールの変更，追加等の管理が容易である。
【００２２】
（９）書画処理手段はプリンタ(100)を含む、上記（１）乃至（８）のいずれか１つに記載の書画処理装置(MF1,CPR,PTR,FAX)。
【００２３】
（１０）書画処理手段は原稿スキャナ(210,230)を含む、上記（１）乃至（９）のいずれか１つに記載の書画処理装置(MF1,CPR,FAX,SCR)。
【００２４】
（１１）書画処理手段は、原稿スキャナ(210,230)，プリンタ(100)および前記原稿スキャナ(210,230)が出力する画像データを前記プリンタの作像に適する画像データに変換する画像データ処理手段(262)、を含む、上記（１）乃至（８）のいずれか１つに記載の書画処理装置(MF1,CPR,FAX)。
【００２５】
（１２）書画処理手段は更に、外部機器(PC)から与えられる書画情報を画像データに変換して前記画像データ処理手段(262)に出力する通信手段(280)、を更に備える上記（９）又は（１１）に記載の書画処理装置(MF1,PTR,FAX)。
【００２６】
（１３）書画処理手段は更に、書画情報蓄積手段(271-276)を含み；前記画像データ処理手段(262)は、前記画像読み取り装置が出力する画像データを読み取り補正して前記書画情報蓄積手段(271-276)に出力し、該書画情報蓄積手段(271-276)が出力する画像データを前記プリンタの作像に適する画像データに変換して前記プリンタ(100)に出力する；上記（１１）に記載の書画処理装置(MF1,CPR,FAX)。
【００２７】
（１４）外部機器(PC)から与えられる書画情報を前記書画情報蓄積手段(271-276)に蓄積し、該書画情報蓄積手段(271-276)から書画情報を読み出して外部機器(PC)に出力する通信手段(278-287)、を更に備える上記（１３）に記載の書画処理装置(MF1)。
【００２８】
本発明の他の目的および特徴は、図面を参照した以下の実施例の説明より明らかになろう。
【実施例１】
【００２９】
図１に、本発明の第１実施例の書画処理装置の複数を接続したＬＡＮネットワークを示す。図１に示すパソコンＰＣは、ワードプロセッサソフト，表計算ソフト，ＣＧ（コンピュータグラフィックス）ならびにＣＡＤおよびその他の画像処理ソフト（以上すべて書画処理手段）をインストールしたネットワーク接続が可能なコンピュータであり、本発明の１実施態様の書画処理装置である。複合機能複写機ＭＦ１は本発明の１実施例の書画処理装置であり、複写機ＣＰＲ，スキャナＳＣＲ，ファクシミリＦＡＸおよびプリンタＰＴＲもそれぞれ、本発明の１実施態様の書画処理装置である。
【００３０】
いずれの装置も、ユーザアカウント情報（ユーザ名又はユーザランク，パスワード，装置のネットワーク上アドレスすなわち装置アドレスおよび装置名）を登録したユーザアカウントデータベースおよび認証を行うセキュリティ・アカウント・マネージャ（ＳＡＭ）をもったサーバ（ソフト）がインストールされており、この実施例では、ユーザがユーザ名又はユーザランクおよびパスワードを装置使用時にディスプレイに表示される認証用入力画面に入力する事により、装置にログインできる。すなわち装置を使用することができる。これは、装置の操作ボード（９０）又はネットワーク接続したＰＣを用いて行うことができる。
【００３１】
図２に、図１に示すフルカラーデジタル複合機能複写機ＭＦ１の外観を示す。このフルカラー複写機ＭＦ１は、大略で、自動原稿送り装置（ＡＤＦ）２３０と、操作ボード９０と、カラースキャナ２１０と、カラープリンタ１００の各ユニットで構成されている。なお、操作ボード９０と、ＡＤＦ２３０付きのカラースキャナ２１０は、プリンタ１００から分離可能なユニットであり、カラースキャナ２１０は、動力機器ドライバやセンサ入力およびコントローラを有する制御ボードを有して、ＣＰＵ２６１（図５）と直接または間接に通信を行いタイミング制御されて原稿画像の読み取りを行う。
【００３２】
プリンタ１００を接続したコントローラボード２７０（図５）には、パソコンＰＣが接続したＬＡＮ(Local Area Network)が接続されており、ファクシミリコントロールユニットＦＣＵ２８７（図５）には、電話回線ＰＮ（ファクシミリ通信回線）に接続された交換器ＰＢＸが接続されている。カラープリンタ１００のプリント済の用紙は、排紙スタック１２６（図３）に排出される。
【００３３】
図３に、複合機能複写機ＭＦ１のカラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットａ〜ｄが、第１転写ベルト１０７の移動方向（図中の左から右方向ｙ）に沿ってこの順に配置されている。即ち、４連ドラム方式のフルカラー画像形成装置である。
【００３４】
回転可能に支持され矢印方向に回転する感光体１０１の外周部には、除電装置１０５，クリーニング装置１０４，帯電装置１０２および現像装置１０３が配備されている。帯電装置１０２と現像装置１０３の間には、露光装置１０６から発せられる光情報の入るスペースが確保されている。感光体１０１は４個（ａ，ｂ，ｃ，ｄ）あるが、それぞれ周囲に設けられる画像形成用の部品構成は同じである。現像装置３が扱う色材（トナー）の色が異なる。感光体１０１（４個）は直径が３０から１００ｍｍ程度のアルミニュム円筒表面に、光導電性物質である有機半導体の層を設けた感光体である。その一部が、第１転写ベルト１０７に接している。ベルト状の感光体も採用可能である。
【００３５】
第１転写ベルト１０７は矢印方向に移動可能に、回転するローラ１０８，１０９および１１０間に支持、張架されていて、裏側（ループの内側）には、第１転写手段１１１が感光体１０１の近傍に配備されている。ベルトループの外側に、第１転写ベルト用のクリーニング装置１１２が配備されている。第１転写ベルト１０７より転写した後にその表面に残留する不要のトナーを拭い去る。
【００３６】
露光装置１０６は公知のレーザ方式で、フルカラー画像形成に対応した光情報を、一様に帯電された感光体表面に潜像として照射する。ＬＥＤアレイと結像手段から成る露光装置も採用できる。第１転写ベルト１０７は、基体の厚みが５０μｍ乃至６００μｍの樹脂フィルムあるいはゴムを基体にしたベルトで、感光体１０１からトナーを転写可能とする抵抗値を備える。
【００３７】
図３上で、第１転写ベルト１０７の右方には、第２転写ベルト１１３が配備されている。第２転写ベルト１１３は矢印方向に移動可能に、回転ローラ１１４，１１５および１１６間に支持、張架されていて、裏側（ループの内側）には、第２転写手段１１７が配備されている。ベルトループの外側に、第２転写ベルト用のクリーニング装置１１８、チャージャ１１９、などが配備されている。クリーニング装置１１８は、用紙にトナーを転写した後、残留する不要のトナーを拭い去る。
【００３８】
第２転写手段１１７，ローラ１１６、第１転写ベルト１０７を支持するローラ１０８により、第１転写ベルト１０７と第２転写ベルト１１３は接触し、あらかじめ定められた転写ニップを形成する。第２転写ベルト１１３は、基体の厚みが５０μｍ乃至６００μｍの樹脂フィルムあるいはゴムを基体にしたベルトで、第１転写ベルト１０７からトナーを転写可能とする抵抗値を備えるベルトである。
【００３９】
記録媒体である用紙１２０は、図の下方の給紙カセット１２１，１２２に収納されており、最上の用紙が給紙ローラ１３１又は１３２で１枚づつ、複数の用紙ガイドを経てレジストローラ１３３に搬送される。第２転写ベルト１１３の上方に、定着器１２３、排紙ガイド１２４、排紙ローラ１２５、排紙スタック１２６が配備されている。
【００４０】
第１転写ベルト１０７の上方で、排紙スタック１２６の下方には、補給用のトナーが収納できる収納部１２７が設けてある。トナーの色はマゼンタ、シアン、イエロー、ブラックの四色があり、カートリッジ１２８の形態にしてある。粉体ポンプ等により対応する色の現像装置１０３に適宜補給される。
【００４１】
本体の一部のフレーム１２９は、開閉支軸１３０を中心として、回動開放が可能な構造にしてあるので、記録媒体の搬送路は大きく開き、ジャムした記録媒体（用紙）の処理を容易にしている。
【００４２】
ここで両面印刷のときの各部の動作を説明する。まず感光体１０１による、作像が行われる。すなわち、露光装置１０６の作動により、不図示のＬＤ光源からの光は、不図示の光学部品を経て、帯電装置１０２で一様に帯電された感光体１０１のうち、作像ユニットａの感光体上に至り、書き込み情報（色に応じた情報）に対応した潜像を形成する。感光体１０１上の潜像は現像装置１０３で現像され、トナーによる顕像が感光体１０１の表面に形成され保持される。このトナー像は、第１転写手段１１１により、感光体１０１と同期して移動する第１転写ベルト１０７の表面に転写される。感光体１０１の表面は、残存するトナーがクリーニング装置１０４でクリーニングされ、除電装置１０５で除電され次の作像サイクルに備える。
【００４３】
第１転写ベルト１０７は、表面に転写されたトナー像を坦持し、矢印の方向に移動する。作像ユニットｂの感光体１０１に、別の色に対応する潜像が書き込まれ、対応する色のトナーで現像され顕像となる。この像は、すでに第１転写ベルト１０７に乗っている前の色の顕像に重ねられ、最終的に４色重ねられる。なお、単色黒のみを形成する場合もある。
【００４４】
このとき同期して第２転写ベルト１１３は矢印方向に移動していて、第２転写手段１１７の作用で、第２転写ベルト１１３の表面に第１転写ベルト１０７表面に作られた画像が転写される。いわゆるタンデム形式である４個の作像ユニットａ〜ｄの各感光体１０１上で画像が形成されながら、第１，第２転写ベルト１０７，１１３が移動し、作像が進められるので、その時間が短縮できる。
【００４５】
第１転写ベルト１０７が、所定のところまで移動すると、用紙の別の面に作成されるべきトナー画像が、前述したような工程で再度感光体１０１により作像され、給紙が開始される。給紙ローラ１３１又は１３２が反時計方向に回転すると、給紙カセット１２１又は１２２内の最上部にある用紙１２０が引き出され、レジストローラ１３３に搬送される。
【００４６】
レジストローラ１３３を経て、第１転写ベルト１０７と第２転写ベルト１１３の間に送られる用紙の片側の面に、第１転写ベルト１０７表面のトナー像が、第２転写手段１１７により転写される。更に記録媒体は上方に搬送され、第２転写ベルト１１３表面のトナー像が、チャージャ１１９により用紙のもう一方の面に転写される。転写に際して、用紙は画像の位置が正規のものとなるよう、タイミングがとられて搬送される。
【００４７】
本実施例では、感光体１０１に作像されるトナーの極性はマイナスである。第１転写手段１１１にプラスの電荷を与えることで、感光体１０１に作像されたトナーは第１転写ベルト１０７に転写される。第２転写手段１１７にプラスの電荷を与えることで、第１転写ベルト１０７に転写されたトナーは、第２転写ベルト１１３に転写される。用紙を第１，第２転写ベルト１０７，１１３間に送り込み、第２転写手段１１７にプラスの電荷を与えることで、第１転写ベルト１０７に転写されたトナーが用紙の片側の面に転写され、また、第２転写ベルト１１３に転写されたトナーは、転写チャージャ１１９からプラス極性の電荷与えることで、第２転写ベルト１１３表面のマイナス極性のトナーは吸引されて、用紙の他の面に転写される。
【００４８】
上記のステップで両面にトナー像が転写された用紙は、定着器１２３に送られ、用紙上のトナー像（両面）が一度に溶融、定着され、ガイド１２４を経て排紙ローラ１２５により本体フレーム上部の排紙スタック１２６に排出される。
【００４９】
図３のように、排紙部１２４〜１２６を構成した場合、両面画像のうち後から用紙に転写される面（頁）、すなわち第１転写ベルト７から用紙に直接転写される面が下面となって、排紙スタック１２６に載置されるから、頁揃えをしておくには２頁目の画像を先に作成し、第２転写ベルト１１３にそのトナー像を保持し、１頁目の画像を第１転写ベルト１０７から用紙に直接転写する。
【００５０】
第１転写ベルト１０７から直接に用紙に転写される画像は、感光体表面で正像にし、第２転写ベルト１１３から用紙に転写されるトナー像は、感光体表面で逆像（鏡像）になるよう露光される。このような頁揃えのための作像順、ならびに、正、逆像（鏡像）に切り換える画像処理も、ＩＭＡＣによるメモリＭＥＭに対する画像データの読書き制御によって行っている。
【００５１】
第２転写ベルト１１３から用紙に転写した後、ブラシローラ，回収ローラ，ブレード等を備えたクリーニング装置１１８が、第２転写ベルト１１３に残留する不要のトナーや紙粉を除去する。
【００５２】
図３ではクリーニング装置１１８のブラシローラが第２転写ベルト１１３の表面から離れた状態にある。支点１１８ａを中心として揺動可能で、第２転写ベルト１１３の表面に接離可能な構造になっている。用紙に転写する以前で、第２転写ベルト１１３がトナー像を担持しているとき離し、クリーニングが必要のとき、図で反時計方向に揺動し接触させる。除去された不要トナーはトナー収納部１３４に集められる。
【００５３】
以上が、「両面転写モード」を設定した両面印刷モードの作像プロセスである。両面印刷の場合には、常にこの作像プロセスで印刷が行われる。片面印刷の場合には、「第２転写ベルト１１３による片面転写モード」と「第１転写ベルト１０７による片面転写モード」の２つがあり、前者の第２転写ベルト１１３を用いる片面転写モードを設定した場合には、第１転写ベルト１０７に４色重ね（又は単色黒）で形成された顕像が第２転写ベルト１１３に転写され、そして用紙の片面に転写される。用紙の他面には画像転写はない。この場合、排紙スタック１２６に排出された印刷済用紙の上面に印刷画面がある。
【００５４】
後者の第１転写ベルト１０７を用いる片面転写モードを設定した場合には、第１転写ベルト１０７に４色重ね（又は単色黒）で形成された顕像が、第２転写ベルト１１３には転写されずに、用紙の片面に転写される。用紙の他面には画像転写はない。この場合は、排紙スタック１２６に排出された印刷済用紙の下面に印刷画面がある。
【００５５】
図４に、複合機能複写機ＭＦ１のスキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。
【００５６】
第１および第２キャリッジは、走行体モーター２３８を駆動源として、ｙ方向に往（原稿走査），復（リタ−ン）駆動される。このようにスキャナ２１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)１３が装着されており、ＡＤＦ２３０の搬送ドラム（プラテン）２４４がガラス２４０に対向している。
【００５７】
ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００５８】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００５９】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００６０】
ＡＤＦ２３０の基体２４８は、奥側（図４紙面の裏側）でスキャナ２１０の基体にヒンジ結合（蝶番連結）しており、基体２４８の手前側（図４紙面の表側）の取っ手２５０ｍを持ってＡＤＦ２３０の基体２４８引き上げることにより、ＡＤＦ２３０を起こす（開く）ことができる。ＡＤＦ２３０の基体２４８の奥側には、ＡＤＦ２３０の開閉を検出するスイッチがある。ＡＤＦ２３０の、コンタクトガラス２３１に対向する圧板２５０ｐがＡＤＦ２３０の底面部に装着されており、ＡＤＦ２３０が閉じると、圧板２５０ｐの下面が、図４に示すように、コンタクトガラス２３１の上面に密着する。
【００６１】
図５に、図２の複合機能複写機ＭＦ１の画像処理システムの構成を示す。複合機能複写機ＭＦ１は、原稿画像読取りおよびカラー印刷を行うエンジン２６０，コントローラボード２７０および操作ボード９０を含む。エンジン２６０は、画像読取りおよび印刷のプロセスを制御するＣＰＵ２６１，上述のカラースキャナ２１０，上述のプリンタ１００、および、ＡＳＩＣ(Application Specific IC)で構成した画像入出力処理２６２を備えている。
【００６２】
スキャナ２１０のセンサボードユニットＳＢＵ上にはＣＰＵ，ＲＯＭおよびＲＡＭがあり、該ＣＰＵが該ＲＯＭに格納されたプログラムを該ＲＡＭに書き込んで実行する事で、スキャナ２１０の全体の制御を行っている。また、プロセス制御用のＣＰＵ２６１と通信線を介して接続されおり、コマンド及びデータの送受信により指令された動作を行う。スキャナ２１０内のＣＰＵは、原稿検知センサ，ＨＰセンサ，圧板開閉センサ，冷却ファン等の検知及びＯＮ／ＯＦＦの制御をする。スキャナ２１０内において、スキャナモータドライバが、ＣＰＵからのＰＷＭ出力によりドライブされ励磁パルスシーケンスを発生し原稿走査駆動用のパルスモータを駆動する。
【００６３】
原稿画像は、ランプレギュレータによって通電されるハロゲンランプ２３２の光量出力により照明されて、原稿の反射光すなわち光信号は、複数ミラー及びレンズを通りＲ，ＧおよびＢ読み取り用の３個のラインセンサを含むＣＣＤ２０７に結像される。３ラインＣＣＤ２０７は、センサボードユニットＳＢＵ上のＡＦＥ２１２によって、各駆動クロックを与えられて各ＲＧＢの各画素のアナログの画像信号をＡＦＥ２１２に出力する。
【００６４】
コントローラボード２７０は、ＣＰＵ２７２と、ＡＳＩＣで構成された書画蓄積制御２７３と、ハードディスク装置（以下ではＨＤＤと表記）１２２と、ローカルメモリ（ＭＥＭ−Ｃ）２７６と、システムメモリ（ＭＥＭ−Ｐ）２７９と、ノースブリッジ（以下、ＮＢと記す）２７８と、サウスブリッジ（以下、ＳＢと記す）２８５と、ＮＩＣ２８０(Network Interface Card)と、ＵＳＢデバイス２８１と、ＩＥＥＥ１３９４デバイス２８２と、セントロニクスデバイス２８３他を含む。操作ボード９０は、コントローラボード２７０の書画蓄積制御２７３に接続されている。ファクシミリコントロールユニット（ＦＣＵ）２８７も、書画蓄積制御２７３にＰＣＩバスで接続されている。
【００６５】
ＣＰＵ２７２は、ＮＩＣ２８０を介してＬＡＮに接続されたパソコンＰＣあるいはインターネットを介する他のパソコンＰＣと書画情報の送受信を行うことができる。また、ＵＳＢ２８１，ＩＥＥＥ１３９４  ２８２，セントロニクス２８３を用いてパソコン，プリンタ，デジタルカメラ等と通信することができる。
【００６６】
ＳＢ２８５と、ＮＩＣ２８０と、ＵＳＢデバイス２８１と、ＩＥＥＥ１３９４デバイス２８２と、セントロニクスデバイス２８３と、ＭＬＢ２８４は、ＮＢ２７８にＰＣＩバスで接続されている。このように、ＭＬＢ２８４は、エンジン２６０にＰＣＩバスを介して接続する基板である。そして、ＭＬＢ２８４は、外部から入力された書画データをイメージデータ（画像データ）に変換し、変換された画像データをエンジン２６０に出力する。
【００６７】
コントローラボード２７０の書画蓄積制御２７３にローカルメモリ２７６、ＨＤＤ１２２などが接続されると共に、ＣＰＵ２７２と書画蓄積制御２７３とがＣＰＵチップセットのＮＢ２７８を介して接続されている。書画蓄積制御２７３とＮＢ２７８とは、ＡＧＰ(Accelerated Graphics Port)を介して接続されている。
【００６８】
ＣＰＵ２７２は、複合機能複写機ＭＦ１の全体制御を行うものである。ＮＢ２７８は、ＣＰＵ２７２、システムメモリ２７９、ＳＢ２８５および書画蓄積制御２７３を接続するためのブリッジである。システムメモリ２７９は、複合機能複写機ＭＦ１の描画用メモリなどとして用いるメモリである。ＳＢ２８５は、ＮＢ２７８とＰＣＩバス、周辺デバイスとを接続するためのブリッジであり、ＳＢ２８５には外付けＲＯＭおよびＳＤメモリカード（以下ではＳＤカード）の読み書きをするカードＩ／Ｆ２８８が接続されている。このカードＩ／Ｆ２８８には、ＳＤカード読み書き装置（カードリーダ）が接続されており、カードリーダに装着されるＳＤカードのデータを読み取ることができ、またデータを書込むことができる。
【００６９】
ローカルメモリ２７６はコピー用画像バッファ、符号バッファとして用いるメモリである。ＨＤＤ１２２は、画像データの蓄積，文書データの蓄積，プログラムの蓄積，フォントデータの蓄積，フォームの蓄積，ＬＵＴ(Look Up Table)の蓄積などを行うためのメモリである。また、操作ボード９０は、ユーザからの入力操作を受け付けると共に、ユーザに向けた表示を行う操作部である。
【００７０】
図５には、スキャナ２１０およびプリンタ１００と画像入出力装置２６２との間でやり取りする画像データの流れを示す。画像入出力処理２６２には、カラー原稿スキャナ２１０が原稿画像を読み取って発生するＲ，Ｇ，Ｂ画像データのそれぞれに対してシェーディング補正，読取りγ補正，ＭＴＦ補正等を行い、必要に応じて補正後のＲ，Ｇ，Ｂ画像データをＣ，Ｍ，Ｙ，Ｋ記録色データに変換するスキャナ画像処理２６３があり、また、Ｒ，Ｇ，Ｂ画像データ又はＣ，Ｍ，Ｙ，Ｋ記録色データをプリンタ１００の、Ｃ，Ｍ，Ｙ，Ｋ各色書込みユニット２１０〜２１３の画像表現特性に合ったＣ，Ｍ，Ｙ，Ｋ印刷データに変換するプリンタ画像処理２６４があり、更に、書画蓄積制御２７３に原稿読取り画像データＲＧＢ又はＣＭＹＫを出力し、書画蓄積制御２７３が出力する画像データＲＧＢ又はＣＭＹＫをプリンタ画像処理２６４に与える画像処理Ｉ／Ｆ(Interface circuit)２６５がある。
【００７１】
原稿１枚につき１枚の印刷を行う一枚コピーのときには、スキャナ画像処理２６３からＣＭＹＫ記録色データが画像処理Ｉ／Ｆ２６５に出力され、画像処理Ｉ／Ｆ２６５がこれらの画像データをプリンタ画像処理２６４に出力し、プリンタ画像処理２６４が必要に応じて変倍，画像加工を、そしてプリンタγ変換および階調処理をして各書込みユニット（レーザ書込ユニット３０の各レーザ発光器）に出力する。
【００７２】
原稿１枚につき複数枚の印刷を行う連続コピーのときには、スキャナ画像処理２６３からＣＭＹＫ記録色データが画像処理Ｉ／Ｆ２６５に出力され、画像処理Ｉ／Ｆ２６５によってこれらの画像データは書画蓄積制御２７３に出力されてローカルメモリ２７２又はＨＤＤ２７１に一時蓄積され、そして１枚のコピーの度に読み出されて書画蓄積制御２７３から画像処理Ｉ／Ｆ２６５を介してプリンタ画像処理２６４に与えられる。プリンタ画像処理２６４は、必要に応じて変倍，画像加工を、そしてプリンタγ変換および階調処理をして各書込みユニットに出力する。
【００７３】
スキャナ２１０による原稿読取りおよび登録、又は、外部への送信のときには、スキャナ画像処理２６３が出力するＲＧＢ画像データが、画像処理Ｉ／Ｆ２６５および画像蓄積制御２７３を介して、ＨＤＤ２７１に登録される、又は、ローカルメモリ２７６又はＨＤＤ２７１に一時蓄積してから外部に送出される。
【００７４】
プリンタ１００による登録ＲＧＢ画像データ、又は、外部から受信したＲＧＢ画像データの印刷のときには、画像蓄積制御２７３および画像処理Ｉ／Ｆ２６５を介してＲＧＢ画像データがプリンタ画像処理２６４に与えられる。プリンタ画像処理２６４は、ＲＧＢ画像データをＣＭＹＫ記録色データに変換してから、必要に応じて変倍，画像加工を、そしてプリンタγ変換および階調処理をして、各書込みユニットに出力する。
【００７５】
図６には、複合機能複写機ＭＦ１にインストールした主要なアプリケーションを示す。これらはＨＤＤ２７１にあるが、必要に応じワークＲＡＭに展開され、ＣＰＵ２７２あるいは他のＣＰＵ又はＡＳＩＣが使用する。ＨＤＤ２７１にはこれらのアプリケーションの他にシステム制御（全体制御）プログラムがあり、ＣＰＵ２７２は外部からのコマンド又は要求に応答しシステム制御プログラムに従って、図５に示す複合機能の書画処理システム各部に動作又は処理を指示する。
【００７６】
図７に、ＣＰＵ２７２の、主に利用者ルールを適用する書画処理機能制限に関連するシステム制御の概要を示す。自身に動作電圧が加わるとＣＰＵ２７２は、自身の入出力ポートを待機レベルに設定し、システム（図５）内各部に初期化を指示し、ＣＰＵ２７２内部を待機状態に設定し、システム内各部が初期化を完了してレディになるのを待つ（ステップ１）。なお、以下においては、カッコ内にはステップという語を省略して、ステップＮｏ．数字のみを記す。
【００７７】
−サーバ／クライアント確認（図８）−
システム内各部がレディになるとＣＰＵ２７２は、「サーバ／クライアント確認」（２）を実行する。その内容を図８に示す。ここでＣＰＵ２７２は、ＬＡＮネットワーク上にサーバ検索パケットをブロードキャストし（２１）、サーバ書画処理装置の存在を確認する（２２）。アクティブ（ネットワーク応答可）のサーバ書画処理装置（アクティブサーバ）はこのパケットに応答して、サーバ宣言パケットを返信する（図７の１０）。
【００７８】
このサーバ宣言パケットを受信したときにはＣＰＵ２７２は、ＣＰＵ２７２の内部又は外部のＲＡＭの１領域に割り当てたサーバ／クライアントレジスタに、自己がクライアントである情報（サーバではない情報）を設定し、サーバ宣言パケットを返信した書画処理装置すなわちサーバ書画処理装置（アクティブサーバ）の装置アドレスおよび装置名をアドレス帖のサーバアドレス欄に書込む（２６）。しかし、サーバ宣言パケットを受信しなかったときには、サーバ／クライアントレジスタの情報を参照して、自己がサーバ候補に設定されていると、該レジスタに自己がサーバである情報を設定する（２３，２４）。自己がサーバ候補に設定されていないと、ネットワーク上のサーバ書画処理装置（アクティブサーバ；以下では単にサーバと言うこともある）が不明であるので、ネットワークエラー（サーバ不在）を操作ボード９０に表示する（２５）。
【００７９】
なおネットワーク管理権限又は複写機ＭＦ１の管理権限があるもの（administrator）は、サーバ候補の設定，サーバとなる設定，サーバの解除（クライアントと設定）などを、後述の「利用者ルール等の登録」（５）で行うことができる。
【００８０】
ＲＡＭに割り付けた各種レジスタ（のデータ）は、装置電源をオフにするときに、ＨＤＤ２７１に記憶（退避セーブ）される。これが完了すると電源が遮断される。電源オン直後の初期化では、この退避セーブした各種レジスタ（のデータ）がＲＡＭに復元されるので、各種レジスタは不揮発メモリと同等と見なすことができる。
【００８１】
図７を再度参照する。次にＣＰＵ２７２は初期画面表示を操作ボード９０（の内部のＣＰＵ）に指示し、操作ボード９０が、その液晶タッチパネル７９に、コピー入力画面上に利用者情報入力画面７９ｃをポップアップ表示した、図９に示す初期画面を表示する（２ａ）。ここで利用者が、ユーザ名およびパスワードを入力して「ログイン」キーをクリックすると、入力データが操作ボード９０から認証サービスＩＤＤａｐ（図６）に与えられ、認証サービスＩＤＤａｐが、入力があったユーザ名およびパスワードが認証サービスＩＤＤａｐに登録されているものであると、照合成立と、ユーザの使用権限データを操作ボード９０に出力し、操作ボード９０が、その内部のＲＡＭに割り付けた利用者情報レジスタにユーザ名，パスワードおよび使用権限を保存し、利用者情報入力画面７９ｃを消去した、キーインを受け付ける、図１０に示す初期画面を液晶タッチパネル７９に表示する。ここでのユーザの使用権限は、管理権限があるadministratorか、管理権限のないその他か、の２区分である。ＣＰＵ２７２は、ここで、照合が成立したユーザの利用者ルールを、ＭＦ１に設定する（２ｂ）。
【００８２】
−利用者ルールを設定（図１１）−
「利用者ルールを設定」（２ｂ）の内容を図１１に示す。ここではＣＰＵ２７２は、自機のサーバ／クライアントレジスタ（後述）のデータから、自機がアクティブサーバ（現時点でサーバ）か否（クライアントである）を判定して（８２）、クライアントであると、アドレス帖ＡＤＤａｐにあるサーバアドレス（サーバ）に、自機を使用許可した利用者情報宛ての利用者ルールを要求する（８３）。サーバから該当の利用者ルールを受信するとＣＰＵ２７２は、該利用者ルールを今回のＭＦ１使用に適用する機器使用ルールに設定する（８４，９０）。
【００８３】
サーバから適正な応答がないと、ＣＰＵ２７２は、自機が「サーバ候補」（後述）であると、自機をアクティブサーバに設定して（サーバ／クライアントレジスタの設定データを「サーバ」に変更して；８５，８６）、前記摘出した利用者情報宛ての利用者ルールを自機のＨＤＤ２７１の利用者ルールデータベースから読み出して今回の印刷コマンド等に適用する機器使用ルールに設定する（８７，８８）。利用者情報宛ての利用者ルールが存在しないとデフオルトの利用者ルールを設定する（８９）。自機が「サーバ候補」でなかった場合には、アクティブサーバへの設定変更は行わない。
【００８４】
自機がアクティブサーバ（現時点でサーバ）であるときには、前記摘出した利用者情報宛ての利用者ルールをＨＤＤ２７１の利用者ルールデータベースから読み出して今回の書画処理に適用する機器使用ルールに設定する（８７，８８）。利用者情報宛ての利用者ルールが存在しないとデフオルトの利用者ルールを設定する（８９）。
【００８５】
図１０に示す様に、操作ボード９０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。また、図示は省略したが、液晶タッチパネル７９の左側には、ＵＲＬ，メール文，ファイル名，フォルダ名等の入力，設定用ならびに短縮登録用の、平仮名を付記したアルファベットキーボードがある。
【００８６】
テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「利用者ルール登録」機能，「サーバ／クライアント」設定機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００８７】
液晶タッチパネル７９には、各種機能キー及び画像形成装置の状態を示すメッセージなどが表示される。液晶タッチパネル７９には、「コピー」機能，「スキャナ」機能，「プリント」機能，「ファクシミリ」機能，「蓄積」機能，「編集」機能，「登録」機能，「連結」機能およびその他の機能の選択用および実行中を表わす機能選択キー８０ｇが表示される。機能選択キー８０ｇで指定された機能に定まった入出力画面が表示され、例えば「複写」機能が指定されているときには、図１０に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００８８】
ログアウトキー８０ｉをユーザが押すと、図７上のステップ３からステップ２ａへの２点鎖線ルートを経てＣＰＵ２７２は、操作ボード９０の液晶タッチパネル７９にログイン入力画面７９ｃを表示する。すなわちパネル７９の表示を、図９に示す初期画面に戻す。これにより、登録したユーザ名とパスワードを入力しなければ、操作ボード９０に対してキーイン不可（ＭＦ１の使用不可）となる。ＭＦ１が待機状態で図１０に示す入力可能状態が、何ら入力なく設定時間継続場合も、タイムオーバ初期化によりＣＰＵ２７２は、操作ボード９０の液晶タッチパネル７９の表示を図９に示す、ログイン入力画面７９ｃを表示する初期画面に戻す。
【００８９】
ユーザがadministrator権限があるユーザ名とパスワードを入力した場合には、図１０に示す初期設定キー８０ｄを押すと（４，４ａ）、操作ボード９０が液晶タッチパネル７９に初期設定メニューを表示する。該メニュの中に、「利用者ルール等の登録」（５），「ルールデータベースのインポート」（６），「ルールデータベースのエクスポート」（７），「ルールデータベースのダウンロード」（８）およびその他の登録，設定あるいはデータ集積／放出の処理項目がある。以下では、administrator権限がある登録したユーザ名とパスワードを有する者を、管理者と表現する。
【００９０】
−「利用者ルール等の登録」（５）−
「利用者ルール等の登録」（５）を管理者がクリックすると、「装置の登録」，「サーバ／クライアント登録」および「利用者登録」のサブメニューがパネル７９に表示される。管理者が「装置の登録」をクリックすると操作ボード９０はパネル７９に、装置名およびネットワーク上アドレスを入力する画面を表示する。入力があった装置名およびネットワーク上アドレスは、ネットワークサービスＮＥＴａｐ（図６）に登録される。
【００９１】
サブメニュー上の「サーバ／クライアント登録」を管理者がクリックしたときには、操作ボード９０はパネル７９に、図１２に示すサーバ／クライアント登録の入力画面を表示する。図１２の表示はサーバ／クライアントレジスタのデータに基づいたものであり、これは、複写機ＭＦ１がサーバ候補に設定され、現在はクライアント書画処理装置（以下では単にクライアントと言うことがある）の設定であることを意味する。この状態で管理者が「サーバ」ボタンにタッチすると該ボタンが選択済の黒地に変わり、その隣の「クライアント」が白地に変わる。「設定」ボタンに管理者がタッチすると、サーバ／クライアントレジスタのデータが、サーバに変わる。ただし、「サーバ候補」の設定になっていなければ、「サーバ」への切り換えはしない。すなわちサーバにはなりえない。ユーザは、ＨＤＤ２７１に利用者ルールデータベースを構築した状態で、「サーバ候補」の設定を行う。ＨＤＤ２７１に利用者ルールデータベースを構築していない時には、登録の欄の「サーバ候補」は非選択、その隣の欄の「クライアント」を選択した状態、すなわち、クライアント設定にしておく。
【００９２】
サブメニュー上の「利用者登録」を管理者がクリックしたときには、操作ボード９０はパネル７９に、利用者登録の入力画面を表示する。ここでは最初に、利用者名，権限（administratorか否か）およびパスワードの入力画面が表示される。これらを入力することにより、操作ボード９０は、パネル７９に「次に進む」のボタンを追加表示する。このボタンに管理者がタッチすると、操作ボード９０は、図１３の上段に示す、使用機能割当て画面をパネル９０に表示する。この画面に対して利用者の使用可能機能を設定することが出来る。管理者が使用可能機能の１つの選択項目「コピー」にタッチすると、操作ボード９０は、パネル７９に図１３の中段に示す、コピーの下位機能指定画面を表示する。これらの所要の機能を選択して設定ボタンにタッチすると、操作ボード９０はパネル７９に、図１３の下段に示す、コピー機能割り当て済画面を表示する。この画面上の他の機能項目にタッチして、同様に他の機能も割り当てることができる。所要の機能の全ての割り当てを終えると、管理者は、「終了ボタン」にタッチする。これに応答して操作ボード９０は、サブメニュー上の「利用者登録」の最初に入力された利用者名，権限およびパスワードに、すなわち利用者情報に、選択された機能を対応付けた利用者データすなわち利用者ルールをＨＤＤ２７１の利用者ルールデータベースに登録する。
【００９３】
−ルールデータベースのインポート（図１４）−
初期設定メニューの中の「ルールデータベースのインポート」を管理者がクリックしてＳＤカードからインポートする項目を選択して実行ボタンをクリックすると、これに応答して、ＣＰＵ２７２は、図１４に示す「ルールデータベースのインポート」を実行する。ＣＰＵ２７２は、カードＩ／Ｆ２８８に接続されたカードリーダへのＳＤカードの装着有無を参照して（３１）、装着されておりしかもフォーマットが適正な場合は、ＳＤカードから利用者ルールを取り込み、ＨＤＤ２７１の利用者ルールデータベースに登録する（３１〜３３）。カードの装着がない場合ならびに装着があってもフォーマットが合わない場合には、カード認識エラーをパネル７９に表示する（３４）。
【００９４】
−ルールデータベースのエクスポート（図１５）−
初期設定メニューの中の「ルールデータベースのエクスポート」を管理者がクリックしてエクスポートする項目を選択して実行ボタンをクリックすると、これに応答して、ＣＰＵ２７２は、図１５に示す「ルールデータベースのエクスポート」を実行する。すなわちＣＰＵ２７２は、カードＩ／Ｆ２８８に接続されたカードリーダへのＳＤカードの装着有無を参照して（４１）、装着されておりしかもフォーマットが適正な場合は、ＨＤＤ２７１の利用者ルールデータベースから選択された項目の利用者ルールを読み出してＳＤカードに書き込む（４１〜４３）。カードの装着がない場合ならびに装着があってもフォーマットが合わない場合には、カード認識エラーをパネル７９に表示する（４４）。
【００９５】
−ルールデータベースのダウンロード（図１６）−
初期設定メニューの中の「ルールデータベースのダウンロード」を管理者がクリックすると、これに応答して、ＣＰＵ２７２は、サーバ／クライアントレジスタのデータを参照して（５１）、自機がアクティブサーバ（設定データが「サーバ」）であると、操作ボード９０を介して相手先情報の入力催告画面をパネル７９に表示し（５３）、ネットワークサービスＮＥＴａｐを介して、入力があった相手先にデータベース送信要求を送信する（５４）。自機がクライアントであるときには、アドレス帖ＡＤＤａｐ（図６）に登録しているサーバ（装置名とアドレス）を相手先としてそこにデータベース送信要求を送信する（５２，５４）。相手先の利用者ルールデータベースの利用者ルールを受信すると、それをＨＤＤ２７１の利用者ルールデータベースに登録する（５５，６０）。適正な受信がない場合、相手先がサーバであるときには、自機が「サーバ候補」であれば、自機をサーバ（アクティブサーバ）に設定する。すなわち、サーバ／クライアントレジスタのデータを、「クライアント」から「サーバ」に変更する（５６〜５８）。自機が「サーバ候補」でなければ、「ダウンロード応答エラー」をパネル７９に表示する（５９）。相手先がクライアントであって適正な返信が得られなかったときにも、「ダウンロード応答エラー」をパネル７９に表示する（５９）。
【００９６】
以上は、管理者が初期設定キーを押して更に初期設定メニューに従って実行するものである。管理者(administrator)権限がないユーザがログインした場合には、初期設定キーが押されても操作ボード９０は初期設定メニュー表示に進まない（４ａ−３）。
【００９７】
図７を再度参照する。ネットワーク（ＬＡＮ）から送信を受けたときには、ＣＰＵ２７２は、受信内容にしたがって応答する。本発明の利用者個別の使用機能制限に関連する通信には、自機がアクティブサーバであるときに、他の書画処理装置が「サーバ／クライアント確認」（２）で発信（ブロードキャスト）したサーバ検索パケットに応答する「サーバ宣言」（１０）すなわちサーバ宣言パケットの返信，他の書画処理装置が「ルールデータベースのダウンロード」（８）で自機を相手先として利用者ルールデータベースを要求してきたときの、これに応答する「ルールデータベースのエクスポート」（１１），自機がアクティブサーバであるときに、他の書画処理装置（クライアント）が利用者の使用アクセス（使用者名およびパスワードの入力）に応答して該利用者の使用者ルールを自機（サーバ）に要求してきたときの、該クライアントに対する「利用者ルールの送信」（１２）、および、ＬＡＮを介したＰＣからの自機使用要求の受信である「機器使用要求の受信」（１３）がある。
【００９８】
−サーバ宣言（１０）−
他の書画処理装置からサーバ検索パケットをネットワークサービスＮＥＴａｐが受信するとＣＰＵ２７２は、サーバ／クライアントレジスタのデータを参照して、「サーバ」の設定であるときには、ネットワークサービスＮＥＴａｐ（図６）を介して、サーバ検索パケットに応答するサーバ宣言パケットを返信する。このサーバ宣言パケットを受信したクライアントは、サーバの名称およびＬＡＮ上アドレスをサーバ宣言パケットから摘出して自機のアドレス帖に保持する。サーバ／クライアントレジスタのデータが「クライアント」の設定ヲ表すものであるときには、受信したサーバ検索パケットには応答しない。
【００９９】
−ルールデータベースのエクスポート（１１）−
他の書画処理装置が「ルールデータベースのダウンロード」（８）で自機を相手先として利用者ルールデータベースを要求してきたときに、これに応答して、自機の利用者ルールデータベースの利用者ルールを読み出して該他の書画処理装置に返信する。
【０１００】
−利用者ルールの送信（図１７）−
自機がアクティブサーバであると、利用者の使用アクセス（利用者名とパスワードの入力）を受けたクライアントがネットワーク通信を使用して、利用者情報（利用者名とパスワード）を添付して利用者ルールを要求してくる。これに応答してＣＰＵ２７２は、該利用者情報宛ての利用者ルールをＨＤＤ２７１の利用者ルールデータベースから読み出して返信する（６１〜６４）。このとき、利用者ルールデータベースに利用者ルールが存在しなかった場合、デフォルトの利用者ルールをクライアントに返信する（６５）。自機がクライアントであるのに利用者ルールを要求された場合には、宛て先エラーを返信する（６６）。
【０１０１】
−機器使用要求の受信（図１８）−
機器使用要求の受信（１３）の内容を図１８に示す。ここでの機器使用要求はＬＡＮ上のＰＣからの印刷コマンド他の自機機能使用要求であったとする。この要求には、該ＰＣを使用するために利用者がＰＣに入力（ログイン）した利用者情報（ＰＣの使用可否認証用のユーザＩＤ）が添付されている。ＣＰＵ２７２は該利用者情報を摘出する（７１）。そして自機のサーバ／クライアントレジスタのデータから、自機がアクティブサーバ（現時点でサーバにされている）か否（クライアントである）を判定して、クライアントであると、アドレス帖ＡＤＤａｐにあるサーバアドレス（サーバ）に、前記摘出した利用者情報宛ての利用者ルールを要求する（７２，７３）。サーバから該当の利用者ルールを受信するとＣＰＵ２７２は、該利用者ルールを、ＰＣが与えた今回の印刷コマンド等に適用する機器使用ルールに設定して（７４，８０）、該機器使用ルールの範囲内で、該印刷コマンド等に従う書画処理（印刷等）を実行する（８１）。
【０１０２】
サーバから適正な応答がないと、ＣＰＵ２７２は、自機のサーバ／クライアントレジスタのデータが「サーバ候補」を表わすものであると、自機をアクティブサーバに設定して（サーバ／クライアントレジスタの設定データを「サーバ」に変更して；７５，７６）、前記摘出した利用者情報宛ての利用者ルールをＨＤＤ２７１の利用者ルールデータベースから読み出して今回の印刷コマンド等に適用する機器使用ルールに設定して（７７，７８）、該機器使用ルールの範囲内で、該印刷コマンド等に従う書画処理（印刷等）を実行する（８１）。利用者情報宛ての利用者ルールが存在しないとデフオルトの利用者ルールを設定する（７９）。自機が「サーバ候補」でなかった場合には（サーバとして適正な利用者ルールデータベースが構築されていない可能性がある）、アクティブサーバへの設定変更は行わない。
【０１０３】
自機がアクティブサーバ（現時点でサーバ）であるときには、前記摘出した利用者情報宛ての利用者ルールをＨＤＤ２７１の利用者ルールデータベースから読み出して今回の印刷コマンド等に適用する機器使用ルールに設定して（７７，７８）、該機器使用ルールの範囲内で、該印刷コマンド等に従う書画処理（印刷等）を実行する（８１）。利用者情報宛ての利用者ルールが存在しないとデフオルトの利用者ルールを設定する（７９）。
【０１０４】
図７を再度参照する。操作ボード９０からＭＦ１の書画処理機能を使用するための入力があると、この時点ではすでにユーザ名（利用者名）およびパスワード（あわせて利用者情報）の入力があって、利用者レジスタに保持しているので（それによって操作ボード９０が使用入力受付可になっているので）、使用入力を読込み、書画処理開始指示（スタートキー８０ｃのオン）があると、ＣＰＵ２７２は、ステップ２ｂで設定した利用者ルールの範囲内で、操作ボード９０から入力された使用指示に従う書画処理あるいは設定を実行する（１５；図７）。
【０１０５】
図１を再度参照すると、上述の複合機能複写機ＭＦ１の、上記利用者制限および利用者個別の使用機能制限を実行するためのハードウエアおよびソフトウエア（アプリケーションプログラム）は、図１に示すＬＡＮに接続したパソコンＰＣ，複写機ＣＰＲ，スキャナＳＣＲ，ファクシミリＦＡＸおよびプリンタＰＴＲのいずれにも備わっている。具体的に言うと、例えば、パソコンＰＣには、図５に示すエンジン２６０を除くハードウエアと同等のハードウエアが備わっており、書画処理手段としては、ワードプロセッサソフト，ＣＡＤソフト，ＣＧソフトおよび表計算ソフトが備わっている。複写機ＣＰＲは大略で、ＦＣＵ２８７を削除し、書画蓄積制御２７３およびローカルメモリ２７６を、画像編集機能を削減した低度処理機能のものに変更したコントローラボードを備えるものである。スキャナＳＣＲは大略で、図５に示すプリンタ１００，プリンタ画像処理２６４，ＦＣＵ２８７を削除したものであり、ファクシミリＦＡＸはスキャナおよびプリンタが白黒プリンタのものである。プリンタＰＴＲは、図５に示すスキャナ２１０，２３０，スキャナ画像処理２６３およびＦＣＵ２８７を削除したものである。しかしいずれも、ネットワーク通信機能を有し、図７に示し前述した利用者制限および利用者個別の使用機能制限を実行するアプリケーションプログラムをインストールして、ＨＤＤには利用者ルールデータベースを構築できるようにしたものである。
【０１０６】
従って、利用者は、図１のＬＡＮ接続グループに対し、一組の利用者情報をもち、これをユーザ認証が必要な書画処理装置に登録し、管理者が、サーバとする１つの書画処理装置に各利用者（使用予定者）の利用者ルールを登録することによって、各利用者は利用者情報を入力するだけで、どの書画処理装置も同一の利用者ルールの範囲内で使用できる。管理者は、サーバとする１つの書画処理装置に各利用者（使用予定者）の利用者ルールを登録するだけで済むので、ＬＡＮ接続グループの使用管理が容易になる。
【０１０７】
なお、１つの書画処理装置のみをサーバに設定すると、それがダウン（電源オフ）すると、ＬＡＮ接続グループ内の電源オン中の書画処理装置は、それに利用者ルールが登録されていない利用者は使用不可（又はデフオルトの制限が厳しい使用）となってしまう。従って、複数台をサーバ候補に設定し利用者ルールデータベースを構築しておいて、ＬＡＮ接続グループ内にアクセス可能な（電源オンの）サーバがない時には、上述の実施例のように、アクセス可能なサーバ候補の書画処理装置が自動的にサーバとなるように設定しておくのが好ましい。
【実施例２】
【０１０８】
本発明の第２実施例の書画処理装置のハードウエアは上述の第１実施例のものと同様であり、多くのアプリケーションの内容も同様であるが、第２実施例のＣＰＵ２７２の、ログイン入力画面７９ｃを表示するタイミングが、第１実施例のものと異なる。
【０１０９】
図１９に、第２実施例のＣＰＵ２７２の、主に利用者ルールを適用する書画処理機能制限に関連するシステム制御の概要を示す。このシステム制御の内容は、図７に示す第１実施例のシステム制御の「サーバ／クライアント確認」（２）と「認証入力読取り」（２ａ）との間に、ログイン入力画面７９ｃを表示しない初期入力画面を表示する「入力読み取り」（３ａ）を挿入したものである。この第２実施例のＣＰＵ２７２は、電源オン直後のサーバ／クライアント確認（２）を実行すると、図１０に示す通常の（ログイン入力画面７９ｃを表示しない）初期入力画面を液晶タッチパネルに表示するが（３ａ）、該初期入力画面又はスタートキー８０ｃ他の入力キーに操作があると、そこで液晶タッチパネル７９に、図９に示すように、ログイン入力画面７９ｃをポップアップ表示する（３ｂ，２ａ）。そして利用者のユーザ名およびパスワードの入力を待ち、適正な入力があると、「利用者ルールを設定」（２ｂ）に進む。以降の処理は上述の第１実施例と同様である。
【図面の簡単な説明】
【０１１０】
【図１】それぞれが本発明の第１実施例を装備した、複数の書画処理装置の、ＬＡＮ接続の一態様を示すブロック図である。
【図２】図１に示す複合機能複写機ＭＦ１の外観を示す拡大正面図である。
【図３】図２に示すカラープリンタ１００の拡大縦断面図である。
【図４】図２に示すカラースキャナ２１０およびＡＤＦ２３０の拡大縦断面図である。
【図５】図２に示す複写機ＭＦ１内の、画像処理システムの構成を示すブロック図である。
【図６】図５に示すコントローラボード２７０にインストールしたアプリケーションソフトの主要なものを示すブロック図である。
【図７】図５に示すＣＰＵ２７２のＭＦ１内システム制御の概要を示すフローチャートである。
【図８】図７に示す「サーバ／クライアント確認」（２）の内容を示すフローチャートである。
【図９】図２および図４に示す操作ボード９０の液晶タッチパネル７９の、装置電源オン直後の表示画面（認証入力画面）を示す拡大平面図である。
【図１０】認証入力画面に利用者情報を入力して使用可との認証が成立したときに、操作ボード９０の液晶タッチパネル７９に表示される使用入力画面を示す拡大平面図である。
【図１１】図７に示す「利用者ルールを確認」（２ｂ）の内容を示すフローチャートである。
【図１２】図９に示す認証入力画面で管理者権限でログインして、初期設定の「サーバ／クライアント登録」メニュを選択したときに液晶タッチパネル７９に表示される入力画面を示す平面図である。
【図１３】初期設定の「利用者登録」メニューを選択したときに液晶タッチパネル７９に表示される、入力操作に対応して表示される入力画面を示す平面図であり、未入力状態で表示される図１３上上段の入力画面の「コピー」にタッチすることにより中段の入力画面が表示され、そこで使用可機能を選択して「設定」にタッチすることにより、下段の入力画面が表示されることを示す。
【図１４】図７に示す「ルールデータベースのインポート」（６）の内容を示すフローチャートである。
【図１５】図７に示す「ルールデータベースのエクスポート」（７）の内容を示すフローチャートである。
【図１６】図７に示す「ルールデータベースのダウンロード」（８）の内容を示すフローチャートである。
【図１７】図７に示す「利用者ルールの送信」（１２）の内容を示すフローチャートである。
【図１８】図７に示す「機器使用要求の受信」（１３）の内容を示すフローチャートである。
【図１９】本発明の第２実施例のＣＰＵ２のシステム制御の概要を示すフローチャートである。
【符号の説明】
【０１１１】
１０１：感光体      １０２：帯電装置
１０３：現像装置    １０４：クリーニング装置
１０５：除電装置    １０６：露光装置
１０７：第１転写ベルト
１０８〜１１０：ローラ
１１１：第１転写手段
１１２：クリーニング装置
１１３：第２転写ベルト
１１４〜１６：回転ローラ
１１７：第２転写手段
１１８：クリーニング装置
１１９：チャージャ
１２０：用紙（記録媒体）
１２１，１２２：給紙カセット
１２３：定着器    １２４：排紙ガイド
１２５：排紙ローラ
１２６：排紙スタック
１２７：補給トナー収納部
１２８：カートリッジ
１２９：フレーム  １３０：開閉支軸
１３１，１３２：給紙ローラ
１３３：レジストローラ
２３１：原稿台ガラス  ２３２：照明ランプ
２３３：第１ミラー    ２３４：第２ミラー
２３５：第３ミラー    ２３６：レンズ
２０７：ＣＣＤ        ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ    ２５１：スケール
【図１】
2006185004.tif 000003
【図２】
2006185004.tif 000004
【図３】
2006185004.tif 000005
【図４】
2006185004.tif 000006
【図５】
2006185004.tif 000007
【図６】
2006185004.tif 000008
【図７】
2006185004.tif 000009
【図８】
2006185004.tif 000010
【図９】
2006185004.tif 000011
【図１０】
2006185004.tif 000012
【図１１】
2006185004.tif 000013
【図１２】
2006185004.tif 000014
【図１３】
2006185004.tif 000015
【図１４】
2006185004.tif 000016
【図１５】
2006185004.tif 000017
【図１６】
2006185004.tif 000018
【図１７】
2006185004.tif 000019
【図１８】
2006185004.tif 000020
【図１９】
2006185004.tif 000021